【手続補正書】
【提出日】平成22年1月25日(2010.1.25)
【手続補正１】
【補正対象書類名】特許請求の範囲
【補正対象項目名】全文
【補正方法】変更
【補正の内容】
【特許請求の範囲】
【請求項１】
真空ポンプ（１１）と、搾乳装置（１５）と、該搾乳装置を該真空ポンプに連結する導管（１４）と、あらかじめ設定された負圧レベルを該搾乳装置において維持するための第１真空調整器（２５）と、を有する搾乳システムにおいて、
前記第１真空調整器と前記真空ポンプとの間に設けられており、前記あらかじめ設定された負圧レベルを所望レベルに調整する第２真空調整器（２７、２９、３０ａ）を有することを特徴とする搾乳システム。
【請求項２】
請求項１に記載の搾乳システムであって、前記第２真空調整器は、前記搾乳システム内の負圧レベルを測定する圧力センサ（３０ａ）と、空気を吸入して前記導管へ導くための調整可能な吸気手段（３１）と、前記測定された負圧レベルに応じて前記第２真空調整器を制御する制御装置（２９）と、を有する搾乳システム。
【請求項３】
請求項２に記載の搾乳システムであって、前記圧力センサは前記搾乳装置内に配置されている搾乳システム。
【請求項４】
請求項３に記載の搾乳システムであって、前記搾乳装置は、乳頭カップ（１９）と、搾乳管（１７、２０）と、任意に設けられる搾乳クロー（１６）とを有し、前記圧力センサは、前記乳頭カップ内、前記搾乳管内、または、任意に設けられる前記搾乳クロー内に配置される、搾乳システム。
【請求項５】
請求項１乃至４のいずれか１項に記載の搾乳システムであって、前記第２真空調整器は、ソレノイド（３２）と弁体（３３）とを含む電磁弁（３１）を有し、前記電磁弁は、前記導管と連結されており、前記あらかじめ設定された負圧レベルが前記所望レベルに到達するように、空気を吸引し前記電磁弁を通じて該導管へ導く、搾乳システム。
【請求項６】
請求項５に記載の搾乳システムであって、前記制御装置は、電流、好ましくはＰＷＭ電流を前記ソレノイドに供給することにより、前記弁体に対する前記ソレノイドの力を制御する、搾乳システム。
【請求項７】
請求項５または６に記載の搾乳システムであって、前記第２真空調整器の前記弁体は、動作中、前記導管に流入する空気の薄い層（３７）上に連続的に浮遊するように構成されている、搾乳システム。
【請求項８】
請求項１乃至７のいずれか１項に記載の搾乳システムであって、前記搾乳装置は、前記搾乳装置による搾乳の際に乳量を測定する乳量計を有し、前記第２真空調整器は、空気を吸入して前記導管に導くための調整可能な空気吸入手段と、前記測定された乳量に応じて前記調整可能な空気吸入手段を制御する制御装置とを有する、搾乳システム。
【請求項９】
請求項１乃至８のいずれか１項に記載の搾乳システムであって、前記第２真空調整器は、空気を吸入して前記導管に導くための調整可能な空気吸入手段と、前記搾乳装置における予測される負圧の変動に応じて前記調整可能な空気吸入手段を制御する制御装置とを有する、搾乳システム。
【請求項１０】
請求項９に記載の搾乳システムであって、前記予測される負圧の変動は、前記搾乳装置内の脈動圧によって生じる変動を含んでいる、搾乳システム。
【請求項１１】
請求項１乃至１０のいずれか１項に記載の搾乳システムであって、前記第２真空調整器は、前記搾乳システムにより動物の搾乳を行う際の段階それぞれにおいて、前記あらかじめ設定された負圧レベルをそれぞれ異なる所望のレベルに調整する、搾乳システム。
【請求項１２】
請求項１乃至１１のいずれか１項に記載の搾乳システムであって、前記第２真空調整器は、前記搾乳システムにより動物の搾乳を行う際のある段階の間、前記あらかじめ設定された負圧レベルを単調に増大させる、搾乳システム。
【請求項１３】
請求項１乃至１２のいずれか１項に記載の搾乳システムであって、前記第２真空調整器は、所与の負圧レベルに到達するまで、または、前記搾乳システムによる動物の搾乳時において測定された乳量が所与の値に到達するまで、前記あらかじめ設定された負圧レベルを単調に増大させる、搾乳システム。
【請求項１４】
請求項１乃至１３のいずれか１項に記載の搾乳システムであって、前記第２真空調整器は、空気を吸入して前記導管に導くための調整可能な空気吸入手段と、前記調整可能な空気吸入手段を比例制御によって制御する制御装置と、を有し、前記制御装置は、前記搾乳システムを起動する際に、少なくとも２つの異なる負圧レベルの選択を行い、どの制御信号にこれらの負圧レベルが対応するかをフィードバック制御によって定める、搾乳システム。
【請求項１５】
請求項１４に記載の搾乳システムであって、前記２つの異なる負圧レベルは、前記所望レベルと近い値に設定されている、搾乳システム。
【請求項１６】
請求項１乃至１５のいずれか１項に記載の搾乳システムであって、前記第１真空調整器は、機械的真空調整器であり、前記第１真空調整器の上流側と下流側との間の圧力勾配を小さくするように作用する、搾乳システム。
【請求項１７】
請求項１乃至１６のいずれか１項に記載の搾乳システムであって、前記第２真空調整器は、前記搾乳システムの搾乳時の負圧レベルを第１の所望レベルに調整し、前記搾乳システムは、前記搾乳システムの脈動圧を第２の所望レベルに調整する第３の真空調整器（２８、２９、３０ｂ）を有する、搾乳システム。
【請求項１８】
請求項１乃至１７のいずれか１項に記載の搾乳システムであって、（ａ）乳頭カップおよび搾乳管をそれぞれ有するさらなる３つの搾乳装置と、（ｂ）前記搾乳装置の各々を前記真空ポンプへ連結するさらなる３つの導管と、（ｃ）前記搾乳装置ごとの負圧レベルを所望の負圧レベルにそれぞれ調整するさらなる３つの第２真空調整器と、を有する、搾乳システム。
【請求項１９】
請求項１８に記載の搾乳システムであって、前記第２真空調整器は、前記搾乳装置内の負圧レベルをそれぞれ異なる負圧レベルに調整する、搾乳システム。
【請求項２０】
真空ポンプ（１１）と搾乳装置（１５）と該搾乳装置を該真空ポンプに連結する導管（１４）とを有する搾乳システムにおける真空調整方法において、
第１真空調整器（２５）を用いて、あらかじめ設定された負圧レベルを前記搾乳装置においてほぼ維持するステップと、
前記第１真空調整器と前記真空ポンプとの間に設けられた第２真空調整器（２７、２９、３０ａ）を用いて、前記あらかじめ設定された負圧レベルを所望レベルに調整するステップと、
を含むことを特徴とする真空調整方法。
【請求項２１】
請求項２０に記載の真空調整方法であって、
前記搾乳装置内、好ましくは乳頭カップ内、搾乳管内、または、該搾乳装置の搾乳クロー内の負圧レベルを測定するステップと、
前記第２真空調整器を用いて、空気を吸入して前記導管へ導くステップと、
前記測定された負圧レベルに応じて前記第２真空調整器を制御するステップと、
を含む、真空調整方法。
【請求項２２】
請求項２１に記載の真空調整方法であって、
前記第２真空調整器は、ソレノイド（３２）と弁体（３３）とを含む電磁弁（３１）を有し、
電流、好ましくはＰＷＭ電流の前記ソレノイドへの供給によって、前記弁体を前記導管に流入する空気の薄い層（３７）上で連続的に浮遊させるように前記弁体に対する該ソレノイドの力を調節することにより、前記空気が吸入されて前記導管に導かれる、真空調整方法。
【請求項２３】
請求項２０乃至２２のいずれか１項に記載の真空調整方法であって、前記第２真空調整器は、前記搾乳装置による搾乳の際に測定された乳量に応じて制御される、真空調整方法。
【請求項２４】
請求項２０乃至２３のいずれか１項に記載の真空調整方法であって、前記第２真空調整器は、前記搾乳装置における予測される負圧の変動に応じて制御される、真空調整方法。
【請求項２５】
真空ポンプ（１１）と搾乳装置（１５）と該搾乳装置を該真空ポンプに連結する導管（１４）とを有する搾乳システム用の真空調整器において、
前記搾乳システム内の負圧レベルを測定する圧力センサ（３０ａ）と、
ソレノイド（３２）および弁体（３３）を有し、空気を吸入して前記導管に導く電磁弁（３１）と、
電流、好ましくはＰＷＭ電流を前記ソレノイドへ供給することにより、前記測定された負圧レベルに応じて該電磁弁を制御し、それにより、前記弁体に対する該ソレノイドの力を調節して、空気の薄い層（３７）を前記電磁弁を通じて前記導管へ流入させる制御装置（２９）と、
を有することを特徴とする真空調整器。
【請求項２６】
真空ポンプ（１１）と搾乳装置（１５）と該搾乳装置を該真空ポンプに連結する導管（１４）とを有する搾乳システムにおける真空調整方法において、
前記搾乳システム内の負圧レベルを測定するステップと、
ソレノイド（３２）および弁体（３３）を有する電磁弁（３１）によって空気を吸入して前記導管へ導くステップと、
電流、好ましくはＰＷＭ電流を前記ソレノイドに供給することにより、前記測定された負圧レベルに応じて前記電磁弁を制御し、それにより、前記弁体に対する前記ソレノイドの力を調節して、空気の薄い層（３７）を前記電磁弁を通じて前記導管へ流入させるステップと、
を含むことを特徴とする真空調整方法。